【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
式（I）で示される繰り返しユニットを含むポリマー：
【化８１】
2020513054.tif 000001
｛式中：
R1A、R1B、R1C、R1D、R1E、及びR1Fは、独立してアリール又はヘテロアリールであり、それぞれ任意でC1-6アルキル、ハロ、ニトロ、シアノ、SO3-X+、PO32-X+2、及びCOO-X+から独立して選択される１、２、３、４、又は５つの置換基により置換されており、X+は、H+又はカチオンであり、R1A、R1B、R1C、R1D、R1E、及びR1Fのうち少なくとも二つが、独立して、SO3-X+、PO32-X+2、及びCOO-X+から独立して選択される１、２、３、４、又は５つの置換基により置換されているアリール又はヘテロアリールであり；
R1G及びR1Hは、独立してH、アリール、又はヘテロアリールであり、当該アリール及びヘテロアリールは、それぞれ任意でC1-6アルキル、ハロ、ニトロ、シアノ、SO3-X+、PO32-X+2、及びCOO-X+から独立して選択される１、２、３、４、又は５つの置換基により置換されており、X+は、H+又はカチオンであり；
A1は、アリーレン、ヘテロアリーレン、アラルキレン、又はヘテロアラルキレンであり、それぞれ任意でハロ、ニトロ、シアノ、アリール、及びヘテロアリールから独立して選択される１、２、３、又は４つの置換基により置換されており；
A2は、存在しないか、アリーレン、又はヘテロアリーレンであり、当該アリーレン及びヘテロアリーレンは、それぞれ任意でハロ、ニトロ、シアノ、アリール、及びヘテロアリールから独立して選択される１、２、３、又は４つの置換基により置換されており；
L1は、任意で置換されている連結ヘテロ原子、アリーレン、ヘテロアリーレン、アラルキレン、又はヘテロアラルキレンであり、当該アリーレン、ヘテロアリーレン、アラルキレン、及びヘテロアラルキレンはそれぞれ任意でC1-6アルキル、ハロ、ニトロ、シアノ、アリール、及びヘテロアリールから独立して選択される１、２、３、又は４つの置換基により置換されており；
L2は、存在しないか、アリーレン、又はヘテロアリーレンであり、当該アリーレン及びヘテロアリーレンは、それぞれ任意でC1-6アルキル、ハロ、ニトロ、シアノ、アリール、及びヘテロアリールから独立して選択される１、２、３、又は４つの置換基により置換されており；
L3は、存在しないか、アリーレン、又はヘテロアリーレンであり、当該アリーレン及びヘテロアリーレンは、それぞれ任意でC1-6アルキル、ハロ、ニトロ、シアノ、及びヘテロアリールから独立して選択される１、２、３、又は４つの置換基により置換されている｝
ただし、式（I）の繰り返し単位は以下のものではない。
【化８２】
2020513054.tif 000002
【請求項２】
請求項１に記載のポリマーであって、R1G及びR1Hが、独立してHであるか、または
A1は、アリーレン、ヘテロアリーレン、又はアラルキレンであり、それぞれ任意でハロ、ニトロ、シアノ、アリール、及びヘテロアリールから独立して選択される１、２、３、又は４つの置換基により置換されているか、または
A1は、アリーレン又はヘテロアリーレンであり、それぞれ任意でハロ、ニトロ、シアノ、アリール、及びヘテロアリールから独立して選択される１、２、３、又は４つの置換基により置換されているか、または
A1は、任意でハロ、ニトロ、シアノ、アリール、及びヘテロアリールから独立して選択される１、２、３、又は４つの置換基により置換されているアリーレンであるか、または
A2は、存在しないか、アリーレンであり、当該アリーレンは任意でハロ、ニトロ、シアノ、アリール、及びヘテロアリールから独立して選択される１、２、３、又は４つの置換基により置換されているか、または
A2は存在しないか、または
A2は、任意でハロ、ニトロ、シアノ、アリール、及びヘテロアリールから独立して選択される１、２、３、又は４つの置換基により置換されているアリーレンであるか、または
L1は、アリーレン、ヘテロアリーレン、アラルキレン、又はヘテロアラルキレンであり、それぞれ任意でC1-6アルキル、ハロ、アリール、及びヘテロアリールから独立して選択される１、２、３、又は４つの置換基により置換されているか、または
L1は、アリーレン、ヘテロアリーレン、アラルキレン、又はヘテロアラルキレンであり、それぞれ任意でC1-6アルキル、ハロ、及びアリールから独立して選択される１、２、３、又は４つの置換基により置換されているか、または
L1は、アリーレン、ヘテロアリーレン、アラルキレン、又はヘテロアラルキレンであり、それぞれ任意でC1-6アルキル及びハロから独立して選択される１、２、３、又は４つの置換基により置換されているか、または
L1は、アリーレン、ヘテロアリーレン、アラルキレン、又はヘテロアラルキレンであり、それぞれ任意で１、２、３、又は４つのC1-6アルキルにより置換されているか、または
L1は、アリーレン、ヘテロアリーレン又はアラルキレンであるか、または
L1は、アリーレン又はヘテロアリーレンであり、それぞれ任意でC1-6アルキル、ハロ、アリール、及びヘテロアリールから独立して選択される１、２、３、又は４つの置換基により置換されているか、または
L1は、アリーレン又はヘテロアリーレンであり、それぞれ任意でC1-6アルキル、ハロ、及びアリールから独立して選択される１、２、３、又は４つの置換基により置換されているか、または
L1は、アリーレン又はヘテロアリーレンであり、それぞれ任意でC1-6アルキル及びハロから独立して選択される１、２、３、又は４つの置換基により置換されているか、または
L1は、アリーレン又はヘテロアリーレンであり、それぞれ任意で１、２、３、又は４つのC1-6アルキルにより置換されているか、または
L1は、アリーレン又はヘテロアリーレンであるか、または
L1は、任意でC1-6アルキル及びハロから独立して選択される１、２、３、又は４つの置換基により置換されているアリーレンであるか、または
L1は、任意で１、２、３、又は４つのC1-6アルキルにより置換されているアリーレンであるか、または
L1は、アリーレンであるか、または
L1は、ナフタレニレン、フェニレン、又はC1-6アルキルにより置換されたフェニレンであって、ただし、当該フェニレンはp−フェニレンではないか、または
L1はフェニレンであって、ただし、当該フェニレンはp−フェニレンではないか、または
L2は、存在しないか、アリーレン、又はヘテロアリーレンであり、当該アリーレン及びヘテロアリーレンは、それぞれ任意でC1-6アルキル及びハロから独立して選択される１、２、３、又は４つの置換基により置換されているか、または
L2は、存在しないか、アリーレン、又はヘテロアリーレンであり、当該アリーレン及びヘテロアリーレンは、それぞれ任意で１、２、３、又は４つのC1-6アルキルにより置換されているか、または
L2は、存在しないか、アリーレン、又はヘテロアリーレンであるか、または
L2は、存在しないか、アリーレンであり、当該アリーレンは、任意でC1-6アルキル及びハロから独立して選択される１、２、３、又は４つの置換基により置換されているか、または
L2は、存在しないか、アリーレンであり、当該アリーレンは、任意で１、２、３、又は４つのC1-6アルキルにより置換されているか、または
L2は、存在しないか、アリーレンであるか、または
L2は、存在しないか、フェニレンであるか、または
L2は存在しないか、または
L2はフェニレンであるか、または
L3は、存在しないか、アリーレン、又はヘテロアリーレンであり、当該アリーレン及びヘテロアリーレンは、それぞれ任意でC1-6アルキル及びハロから独立して選択される１、２、３、又は４つの置換基により置換されているか、または
L3は、存在しないか、アリーレン、又はヘテロアリーレンであり、当該アリーレン及びヘテロアリーレンは、それぞれ任意で１、２、３、又は４つのC1-6アルキルにより置換されているか、または
L3は、存在しないか、アリーレン、又はヘテロアリーレンであるか、または
L3は、存在しないか、アリーレンであり、当該アリーレンは、任意でC1-6アルキル及びハロから独立して選択される１、２、３、又は４つの置換基により置換されているか、または
L3は、存在しないか、アリーレンであり、当該アリーレンは、任意で１、２、３、又は４つのC1-6アルキルにより置換されているか、または
L3は、存在しないか、アリーレンであるか、または
L3は、存在しないか、フェニレンであるか、または
L3は存在しないか、または
L3はフェニレンである、ポリマー。
【請求項３】
請求項１又は２に記載のポリマーであって、前記式（I）で示される繰り返しユニットが、式（I-A）で示される繰り返しユニットである、ポリマー。
【化８３】
2020513054.tif 000003
｛式中、
R1A、R1B、R1C、R1D、R1E、及びR1Fは、独立してアリール又はヘテロアリールであり、それぞれ任意でC1-6アルキル、ハロ、ニトロ、シアノ、SO3-X+、PO32-X+2、及びCOO-X+から独立して選択される１、２、３、４、又は５つの置換基により置換されており、X+は、H+又はカチオンであり、R1A、R1B、R1C、R1D、R1E、及びR1Fのうち少なくとも二つが、独立して、SO3-X+、PO32-X+2、及びCOO-X+から独立して選択される１、２、３、４、又は５つの置換基により置換されているアリール又はヘテロアリールであるか、または
R1A、R1B、R1C、R1D、R1E、及びR1Fは、独立してアリール又はヘテロアリールであり、それぞれ任意でC1-6アルキル、ハロ、ニトロ、シアノ、SO3-X+、及びPO32-X+2から独立して選択される１、２、３、４、又は５つの置換基により置換されており、X+は、H+又はカチオンであり、R1A、R1B、R1C、R1D、R1E、及びR1Fのうち少なくとも二つが独立して、SO3-X+及びPO32-X+2から独立して選択される１、２、３、４、又は５つの置換基により置換されているアリール又はヘテロアリールであるか、または
R1A、R1B、R1C、R1D、R1E、及びR1Fは、独立してアリール又はヘテロアリールであり、それぞれ任意でC1-6アルキル、ハロ、及びSO3-X+から独立して選択される１、２、３、４、又は５つの置換基により置換されており、X+は、H+又はカチオンであり、R1A、R1B、R1C、R1D、R1E、及びR1Fのうち少なくとも二つが、独立して、１、２、３、４、又は５つのSO3-X+により置換されているアリール又はヘテロアリールであるか、または
R1A、R1B、R1C、R1D、R1E、及びR1Fは、独立してアリール又はヘテロアリールであり、それぞれ任意でC1-6アルキル及びSO3-X+から独立して選択される１、２、３、４、又は５つの置換基により置換されており、X+は、H+又はカチオンであり、R1A、R1B、R1C、R1D、R1E、及びR1Fのうち少なくとも二つが、独立して、１、２、３、４、又は５つのSO3-X+により置換されているアリール又はヘテロアリールであるか、または
R1A、R1B、R1C、R1D、R1E、及びR1Fは、独立してアリール又はヘテロアリールであり、それぞれ任意で１、２、３、４、又は５つのSO3-X+により置換されており、X+は、H+又はカチオンであり、R1A、R1B、R1C、R1D、R1E、及びR1Fのうち少なくとも二つが、独立して、１、２、３、４、又は５つのSO3-X+により置換されているアリール又はヘテロアリールであるか、または
R1A、R1B、R1C、R1D、R1E、及びR1Fは、独立して任意でC1-6アルキル、ハロ、及びSO3-X+から独立して選択される１、２、３、４、又は５つの置換基により置換されているアリールであり、X+は、H+又はカチオンであり、R1A、R1B、R1C、R1D、R1E、及びR1Fのうち少なくとも二つが、独立して、１、２、３、４、又は５つのSO3-X+により置換されているアリールであるか、または
R1A、R1B、R1C、R1D、R1E、及びR1Fは、独立して任意でC1-6アルキル及びSO3-X+から独立して選択される１、２、３、４、又は５つの置換基により置換されているアリールであり、X+は、H+又はカチオンであり、R1A、R1B、R1C、R1D、R1E、及びR1Fのうち少なくとも二つが、独立して、１、２、３、４、又は５つのSO3-X+により置換されているアリールであるか、または
R1A、R1B、R1C、R1D、R1E、及びR1Fは、独立して任意で１、２、３、４、又は５つのSO3-X+により置換されているアリールであり、X+は、H+又はカチオンであり、R1A、R1B、R1C、R1D、R1E、及びR1Fのうち少なくとも二つが、独立して、１、２、３、４、又は５つのSO3-X+により置換されているアリールであるか、または
R1A、R1B、R1C、R1D、R1E、及びR1Fは、独立して任意で１、２、３、４、又は５つのSO3-X+により置換されているフェニルであり、X+は、H+又はカチオンであり、R1A、R1B、R1C、R1D、R1E、及びR1Fのうち少なくとも二つが、独立して、１、２、３、４、又は５つのSO3-X+により置換されているフェニルであり；
R2A、R2B、R2C、及びR2Dは、独立してH、ハロ、ニトロ、シアノ、アリール、又はヘテロアリールであるか、または
R2A、R2B、R2C、及びR2Dは、独立してH、ハロ、ニトロ、又はシアノであるか、または
R2A、R2B、R2C、及びR2Dは、独立してH、ハロ、又はニトロであるか、または
R2A、R2B、R2C、及びR2Dは、独立してH又はハロであるか、または
R2A、R2B、R2C、及びR2Dは、それぞれHであり；
L1は、任意で置換されている連結ヘテロ原子、アリーレン、ヘテロアリーレン、アラルキレン、又はヘテロアラルキレンであり、当該アリーレン、ヘテロアリーレン、アラルキレン、及びヘテロアラルキレンは、それぞれ任意でC1-6アルキル、ハロ、ニトロ、シアノ、アリール、及びヘテロアリールから独立して選択される１、２、３、又は４つの置換基により置換されており；
L2は、存在しないか、アリーレン、又はヘテロアリーレンであり、当該アリーレン及びヘテロアリーレンは、それぞれ任意でC1-6アルキル、ハロ、ニトロ、シアノ、アリール、及びヘテロアリールから独立して選択される１、２、３、又は４つの置換基により置換されており；
L3は、存在しないか、アリーレン、又はヘテロアリーレンであり、当該アリーレン及びヘテロアリーレンは、それぞれ任意でC1-6アルキル、ハロ、ニトロ、シアノ、アリール、及びヘテロアリールから独立して選択される１、２、３、又は４つの置換基により置換されている。｝
【請求項４】
請求項１〜３のいずれか１項に記載のポリマーであって、
X+は、H+又は[N(R5A)(R5B)(R5C)(R5D)]+及びアルカリ金属イオンから選択されるカチオンであり、R5A、R5B、R5C、及びR5Dは、独立してH、C1-6アルキル、アリール、又はヘテロアリールであるか、または
X+は、H+であるか、または
X+は、[N(R5A)(R5B)(R5C)(R5D)]+であり、R5A、R5B、R5C、及びR5Dは、独立してH、C1-6アルキル、アリール、又はヘテロアリールであるか、または
X+は、[NH(C1-6alkyl)3]+である、ポリマー。
【請求項５】
請求項１〜４のいずれか１項に記載のポリマーであって、
-L3-L2-L1-は、独立して以下から選択される、ポリマー。
【化８４】
2020513054.tif 000004
2020513054.tif 000005
2020513054.tif 000006
2020513054.tif 000007
2020513054.tif 000008
2020513054.tif 000009
2020513054.tif 000010
2020513054.tif 000011
2020513054.tif 000012
2020513054.tif 000013
2020513054.tif 000014
2020513054.tif 000015
2020513054.tif 000016
2020513054.tif 000017
2020513054.tif 000018
2020513054.tif 000019
2020513054.tif 000020
2020513054.tif 000021
2020513054.tif 000022
2020513054.tif 000023
2020513054.tif 000024
2020513054.tif 000025
2020513054.tif 000026
2020513054.tif 000027
2020513054.tif 000028
【請求項６】
請求項１〜５のいずれか１項に記載のポリマーであって、
以下から選択される繰り返しユニットを含む、ポリマー。
【化８５】
2020513054.tif 000029
2020513054.tif 000030
2020513054.tif 000031
｛式中、X+は、請求項１または４において定義されたものである。｝
【請求項７】
請求項１〜６のいずれか１項に記載のポリマーであって、
以下から選択される繰り返しユニットを含む、ポリマー。
【化８６】
2020513054.tif 000032
2020513054.tif 000033
2020513054.tif 000034
｛式中、X+は、請求項１または４において定義されたものである。｝
【請求項８】
請求項１〜７のいずれか１項に記載のポリマーであって、当該ポリマーが、ランダムコポリマーであって、当該ランダムコポリマーが、さらに疎水性繰り返しユニットを含む、ポリマー。
【請求項９】
請求項１〜８のいずれか１項に記載のポリマーであって、式（II）で示される疎水性繰り返しユニットをさらに含む、ポリマー。
【化８７】
2020513054.tif 000035
｛式中、
R3A、R3B、R3C、R3D、R3E、及びR3Fは、独立してアリール又はヘテロアリールであり、それぞれ任意でC1-6アルキル、ハロ、ニトロ、及びシアノから独立して選択される１、２、３、４、又は５つの置換基により置換されているか、または
R3A、R3B、R3C、R3D、R3E、及びR3Fは、独立してアリール又はヘテロアリールであり、それぞれ任意でC1-6アルキル、ニトロ、及びシアノから独立して選択される１、２、３、４、又は５つの置換基により置換されているか、または
R3A、R3B、R3C、R3D、R3E、及びR3Fは、独立して、任意で１、２、３、４、又は５つのハロにより置換されているアリールであるか、または
R3A、R3B、R3C、R3D、R3E、及びR3Fは、独立して、任意でC1-6アルキル及びハロから独立して選択される１、２、３、４、又は５つの置換基により置換されているアリールであるか、または
R3A、R3B、R3C、R3D、R3E、及びR3Fは、独立して、任意で１、２、３、４、又は５つのC1-6アルキルにより置換されているアリールであるか、または
R3A、R3B、R3C、R3D、R3E、及びR3Fは、独立して、任意で１、２、３、４、又は５つのハロにより置換されているアリールであるか、または
R3A、R3B、R3C、R3D、R3E、及びR3Fは、独立して、任意でC1-6アルキル及びハロから独立して選択される１、２、３、４、又は５つの置換基により置換されているフェニルであるか、または
R3A、R3B、R3C、R3D、R3E、及びR3Fは、独立して、任意で１、２、３、４、又は５つのC1-6アルキルにより置換されているフェニルであるか、または
R3A、R3B、R3C、R3D、R3E、及びR3Fは、独立して、任意で１、２、３、４、又は５つのハロにより置換されているフェニルであり；
R3G及びR3Hは、独立してH、アリール、又はヘテロアリールであり、当該アリール及びヘテロアリールは、それぞれ任意でC1-6アルキル、ハロ、ニトロ、及びシアノから独立して選択される１、２、３、４、又は５つの置換基により置換されているか、または
R3G及びR3Hが独立してHであり；
B1は、アリーレン、ヘテロアリーレン、アラルキレン、又はヘテロアラルキレンであり、それぞれ任意でハロ、ニトロ、シアノ、アリール、及びヘテロアリールから独立して選択される１、２、３、又は４つの置換基により置換されているか、または
B1は、アリーレン、ヘテロアリーレン、又はアラルキレンであり、それぞれ任意でハロ、ニトロ、シアノ、アリール、及びヘテロアリールから独立して選択される１、２、３、又は４つの置換基により置換されているか、または
B1は、アリーレン又はヘテロアリーレンであり、それぞれ任意でハロ、ニトロ、シアノ、アリール、及びヘテロアリールから独立して選択される１、２、３、又は４つの置換基により置換されているか、または
B1は、任意でハロ、ニトロ、シアノ、アリール、及びヘテロアリールから独立して選択される１、２、３、又は４つの置換基により置換されているアリーレンであり；
B2は、存在しないか、アリーレン、又はヘテロアリーレンであり、当該アリーレン及びヘテロアリーレンは、それぞれ任意でハロ、ニトロ、シアノ、アリール、及びヘテロアリールから独立して選択される１、２、３、又は４つの置換基により置換されているか、または
B2は、存在しないか、アリーレンであり、当該アリーレンは、任意でハロ、ニトロ、シアノ、アリール、及びヘテロアリールから独立して選択される１、２、３、又は４つの置換基により置換されているか、または
B2は存在しないか、または
B2は、任意でハロ、ニトロ、シアノ、アリール、及びヘテロアリールから独立して選択される１、２、３、又は４つの置換基により置換されているアリーレンであり：
K1は、任意で置換されている連結ヘテロ原子、アリーレン、ヘテロアリーレン、アラルキレン、又はヘテロアラルキレンであり、当該アリーレン、ヘテロアリーレン、アラルキレン、及びヘテロアラルキレンはそれぞれ任意でC1-6アルキル、ハロ、ニトロ、シアノ、アリール、及びヘテロアリールから独立して選択される１、２、３、又は４つの置換基により置換されているか、または
K1は、アリーレン、ヘテロアリーレン、アラルキレン、又はヘテロアラルキレンであり、それぞれ任意でC1-6アルキル、ハロ、アリール、及びヘテロアリールから独立して選択される１、２、３、又は４つの置換基により置換されているか、または
K1は、アリーレン、ヘテロアリーレン、アラルキレン、又はヘテロアラルキレンであり、それぞれ任意でC1-6アルキル、ハロ、及びアリールから独立して選択される１、２、３、又は４つの置換基により置換されているか、または
K1は、アリーレン、ヘテロアリーレン、アラルキレン、又はヘテロアラルキレンであり、それぞれ任意でC1-6アルキル及びハロから独立して選択される１、２、３、又は４つの置換基により置換されているか、または
K1は、アリーレン、ヘテロアリーレン、アラルキレン、又はヘテロアラルキレンであり、それぞれ任意で１、２、３、又は４つのC1-6アルキルにより置換されているか、または
K1は、アリーレン、ヘテロアリーレン、又はアラルキレンであるか、または
K1は、アリーレン又はヘテロアリーレンであり、それぞれ任意でC1-6アルキル、ハロ、アリール、及びヘテロアリールから独立して選択される１、２、３、又は４つの置換基により置換されているか、または
K1は、アリーレン又はヘテロアリーレンであり、それぞれ任意でC1-6アルキル、ハロ、及びアリールから独立して選択される１、２、３、又は４つの置換基により置換されているか、または
K1は、アリーレン又はヘテロアリーレンであり、それぞれ任意でC1-6アルキル及びハロから独立して選択される１、２、３、又は４つの置換基により置換されているか、または
K1は、アリーレン又はヘテロアリーレンであり、それぞれ任意で１、２、３、又は４つのC1-6アルキルにより置換されているか、または
K1は、アリーレン又はヘテロアリーレンであるか、または
K1は、任意でC1-6アルキル及びハロから独立して選択される１、２、３、又は４つの置換基により置換されているアリーレンであるか、または
K1は、任意で１、２、３、又は４つのC1-6アルキルにより置換されているアリーレンであるか、または
K1はアリーレンであるか、または
K1は、ナフタレニレン、フェニレン、又はC1-6アルキルにより置換されたフェニレンであるか、または
K1はフェニレンであり；
K2は、存在しないか、アリーレン、又はヘテロアリーレンであり、当該アリーレン及びヘテロアリーレンは、それぞれ任意でC1-6アルキル、ハロ、ニトロ、シアノ、アリール、及びヘテロアリールから独立して選択される１、２、３、又は４つの置換基により置換されているか、または
K2は、存在しないか、アリーレン、又はヘテロアリーレンであり、当該アリーレン及びヘテロアリーレンは、任意でC1-6アルキル及びハロから独立して選択される１、２、３、又は４つの置換基により置換されているか、または
K2は、存在しないか、アリーレン、又はヘテロアリーレンであり、当該アリーレン及びヘテロアリーレンは、任意で１、２、３、又は４つのC1-6アルキルにより置換されているか、または
K2は、存在しないか、アリーレン、又はヘテロアリーレンであるか、または
K2は、存在しないか、アリーレンであり、当該アリーレンは、任意でC1-6アルキル及びハロから独立して選択される１、２、３、又は４つの置換基により置換されているか、または
K2は、存在しないか、アリーレンであり、当該アリーレンは、任意で１、２、３、又は４つのC1-6アルキルにより置換されているか、または
K2は、存在しないか、アリーレンであるか、または
K2は、存在しないか、フェニレンであるか、または
K2は存在しないか、または
K2はフェニレンであり；
K3は、存在しないか、アリーレン、又はヘテロアリーレンであり、当該アリーレン及びヘテロアリーレンは、それぞれ任意でC1-6アルキル、ハロ、ニトロ、シアノ、アリール、及びヘテロアリールから独立して選択される１、２、３、又は４つの置換基により置換されているか、または
K3は、存在しないか、アリーレン、又はヘテロアリーレンであり、当該アリーレン及びヘテロアリーレンは、任意でC1-6アルキル及びハロから独立して選択される１、２、３、又は４つの置換基により置換されているか、または
K3は、存在しないか、アリーレン、又はヘテロアリーレンであり、当該アリーレン及びヘテロアリーレンは、それぞれ任意で１、２、３、又は４つのC1-6アルキルにより置換されているか、または
K3は、存在しないか、アリーレン、又はヘテロアリーレンであるか、または
K3は、存在しないか、アリーレンであり、当該アリーレンは、任意でC1-6アルキル及びハロから独立して選択される１、２、３、又は４つの置換基により置換されているか、または
K3は、存在しないか、アリーレンであり、当該アリーレンは、任意で１、２、３、又は４つのC1-6アルキルにより置換されているか、または
K3は、存在しないか、アリーレンであるか、または
K3は、存在しないか、フェニレンであるか、または
K3は存在しないか、または
K3はフェニレンである。｝
【請求項１０】
請求項９に記載のポリマーであって、式（II）で示される繰り返しユニットが、式（II-A）で示される繰り返しユニットである、ポリマー。
【化８８】
2020513054.tif 000036
｛式中、
R3A、R3B、R3C、R3D、R3E、及びR3Fは、独立してアリール又はヘテロアリールであり、それぞれ任意でC1-6アルキル、ハロ、ニトロ、及びシアノから独立して選択される１、２、３、４、又は５つの置換基により置換されており；
R4A、R4B、R4C、及びR4Dは、独立してハロ、ニトロ、シアノ、アリール、又はヘテロアリールであるか、または
R4A、R4B、R4C、及びR4Dは、独立してH、ハロ、ニトロ、又はシアノであるか、または
R4A、R4B、R4C、及びR4Dは、独立してH、ハロ、又はニトロであるか、または
R4A、R4B、R4C、及びR4Dは、独立してH又はハロであるか、または
R4A、R4B、R4C、及びR4Dは、それぞれHであり；
K1は、任意で置換されている連結ヘテロ原子、アリーレン、ヘテロアリーレン、アラルキレン、又はヘテロアラルキレンであり、当該アリーレン、ヘテロアリーレン、アラルキレン、及びヘテロアラルキレンは、それぞれ任意でC1-6アルキル、ハロ、ニトロ、シアノ、アリール、及びヘテロアリールから独立して選択される１、２、３、又は４つの置換基により置換されており；
K2は、存在しないか、アリーレン、又はヘテロアリーレンであり、当該アリーレン及びヘテロアリーレンは、それぞれ任意でC1-6アルキル、ハロ、ニトロ、シアノ、アリール、及びヘテロアリールから独立して選択される１、２、３、又は４つの置換基により置換されており；
K3は、存在しないか、アリーレン、又はヘテロアリーレンであり、当該アリーレン及びヘテロアリーレンは、それぞれ任意でC1-6アルキル、ハロ、ニトロ、シアノ、アリール、及びヘテロアリールから独立して選択される１、２、３、又は４つの置換基により置換されている。｝
【請求項１１】
請求項９または１０に記載のポリマーであって、
-K3-K2-K1-は、独立して以下から選択される、ポリマー。
【化８９】
2020513054.tif 000037
2020513054.tif 000038
2020513054.tif 000039
2020513054.tif 000040
2020513054.tif 000041
2020513054.tif 000042
2020513054.tif 000043
2020513054.tif 000044
2020513054.tif 000045
2020513054.tif 000046
2020513054.tif 000047
2020513054.tif 000048
2020513054.tif 000049
2020513054.tif 000050
2020513054.tif 000051
2020513054.tif 000052
2020513054.tif 000053
2020513054.tif 000054
2020513054.tif 000055
2020513054.tif 000056
2020513054.tif 000057
2020513054.tif 000058
2020513054.tif 000059
2020513054.tif 000060
2020513054.tif 000061
【請求項１２】
請求項９〜１１のいずれか１項に記載のポリマーであって、
前記疎水性繰り返しユニットは、以下から選択される、ポリマー。
【化９０】
2020513054.tif 000062
2020513054.tif 000063
2020513054.tif 000064
2020513054.tif 000065
【請求項１３】
ポリマーであって、
以下から選択される第１の繰り返しユニット及びこれらの任意の組み合わせ： 
【化９２】
2020513054.tif 000066
2020513054.tif 000067
2020513054.tif 000068
2020513054.tif 000069
｛式中、X+は、請求項１または４で定義されるものである｝；
及び
以下から選択される第２の繰り返しユニット及びこれらの任意の組み合わせ：
【化９３】
2020513054.tif 000070
2020513054.tif 000071
2020513054.tif 000072
2020513054.tif 000073
を含み、前記第１の繰り返しユニットと前記第２の繰り返しユニットのモル比が１：９９〜９９：１の範囲内である、ポリマー。
【請求項１４】
請求項１〜１３のいずれか１項に記載のポリマーであって、前記ポリマーが直鎖状であるか、または
前記ポリマーが分岐しているポリマーであって、
共有結合を介して少なくとも三つの繰り返しユニットに直接結合している多価連結基M1をさらに含んでいる、ポリマー。
【請求項１５】
請求項１４に記載のポリマーであって、前記M1が、三価、四価、五価、又は六価の連結基であり、
前記多価連結基M1は、炭素原子、ヘテロ原子（例えば、N、P、又はB）、多価アリール、多価ヘテロアリール、多価アラルキル、又は多価ヘテロアラルキルから選択され、当該炭素原子、ヘテロ原子（例えばP）、多価アリール、多価ヘテロアリール、多価アラルキル、及び多価ヘテロアラルキルはそれぞれ任意でC1-6アルキル、ハロ、ニトロ、シアノ、アリール、及びヘテロアリールから独立して選択される１、２、又は３つの置換基により置換されているか、または
前記多価連結基は、三価の窒素、四価の炭素、三価のフェニル、三価のピリジル、三価のピラジル、四価のフェニル、四価のピリジル、四価のピラジル、五価のフェニル、五価のピリジル、及び六価のフェニルから選択され；
三価のフェニル及び三価のピリジルは、それぞれ任意でC1-6アルキル、ハロ、ニトロ、シアノ、アリール、及びヘテロアリールから独立して選択される１、２、又は３つの置換基により置換されており；
四価のフェニル、四価のピリジル、及び三価のピラジルは、それぞれ任意でC1-6アルキル、ハロ、ニトロ、シアノ、アリール、及びヘテロアリールから独立して選択される１又は２つの置換基により置換されており；
五価のフェニルは、任意でC1-6アルキル、ハロ、ニトロ、シアノ、アリール、及びヘテロアリールから独立して選択される置換基により置換されている、ポリマー。
【請求項１６】
請求項１４または１５に記載のポリマーであって、
前記多価連結基は、以下から選択される、ポリマー
【化９６】
2020513054.tif 000074
であるか、または
前記多価連結基は、以下である、ポリマー。
【化９７】
2020513054.tif 000075
【請求項１７】
式（III）で示される化合物。
【化９８】
2020513054.tif 000076
｛式中、
R1A、R1B、R1C、R1D、R1E、及びR1Fは、独立してアリール又はヘテロアリールであり、それぞれ任意でC1-6アルキル、ハロ、SO3-X+、PO32-X+2、及びCOO-X+から独立して選択される１、２、３、又は４つの置換基により置換されており、X+は、H+又はカチオンであり、R1A、R1B、R1C、R1D、R1E、及びR1Fのうち少なくとも二つが、独立して、SO3-X+、PO32-X+2、及びCOO-X+から選択される１、２、３、４、又は５つの置換基により置換されているアリール又はヘテロアリールであるか、または
R1A、R1B、R1C、R1D、R1E、及びR1Fは、独立してアリール又はヘテロアリールであり、それぞれ任意でC1-6アルキル、ハロ、SO3-X+、及びPO32-X+2から独立して選択される１、２、３、４、又は５つの置換基により置換されており、X+は、H+又はカチオンであり、R1A、R1B、R1C、R1D、R1E、及びR1Fのうち少なくとも二つが、独立して、SO3-X+及びPO32-X+2から選択される１、２、３、４、又は５つの置換基により置換されているアリール又はヘテロアリールであるか、または
R1A、R1B、R1C、R1D、R1E、及びR1Fは、独立してアリール又はヘテロアリールであり、それぞれ任意でC1-6アルキル、ハロ、及びSO3-X+から独立して選択される１、２、３、４、又は５つの置換基により置換されており、X+は、H+又はカチオンであり、R1A、R1B、R1C、R1D、R1E、及びR1Fのうち少なくとも二つが、独立して、１、２、３、４、又は５つのSO3-X+により置換されているアリール又はヘテロアリールであるか、または
R1A、R1B、R1C、R1D、R1E、及びR1Fは、独立してアリール又はヘテロアリールであり、それぞれ任意でC1-6アルキル及びSO3-X+から独立して選択される１、２、３、４、又は５つの置換基により置換されており、X+は、H+又はカチオンであり、R1A、R1B、R1C、R1D、R1E、及びR1Fのうち少なくとも二つが、独立して、１、２、３、４、又は５つのSO3-X+により置換されているアリール又はヘテロアリールであるか、または
R1A、R1B、R1C、R1D、R1E、及びR1Fは、独立してアリール又はヘテロアリールであり、それぞれ任意で１、２、３、４、又は５つのSO3-X+により置換されており、X+は、H+又はカチオンであり、R1A、R1B、R1C、R1D、R1E、及びR1Fのうち少なくとも二つが、独立して、１、２、３、４、又は５つのSO3-X+により置換されているアリール又はヘテロアリールであるか、または
R1A、R1B、R1C、R1D、R1E、及びR1Fは、独立して、任意でC1-6アルキル、ハロ、及びSO3-X+から独立して選択される１、２、３、４、又は５つの置換基により置換されているアリールであり、X+は、H+又はカチオンであり、R1A、R1B、R1C、R1D、R1E、及びR1Fのうち少なくとも二つが、独立して、SO3-X+により置換されているアリールであるか、または
R1A、R1B、R1C、R1D、R1E、及びR1Fは、独立して、任意でC1-6アルキル及びSO3-X+から独立して選択される１、２、３、４、又は５つの置換基により置換されているアリールであり、X+は、H+又はカチオンであり、R1A、R1B、R1C、R1D、R1E、及びR1Fのうち少なくとも二つが、独立して、１、２、３、４、又は５つのSO3-X+により置換されているアリールであるか、または
R1A、R1B、R1C、R1D、R1E、及びR1Fは、独立して、任意で１、２、３、４、又は５つのSO3-X+により置換されているアリールであり、X+は、H+又はカチオンであり、R1A、R1B、R1C、R1D、R1E、及びR1Fのうち少なくとも二つが、独立して、１、２、３、４、又は５つのSO3-X+により置換されているアリールであるか、または
R1A、R1B、R1C、R1D、R1E、及びR1Fは、独立して、任意で１、２、３、４、又は５つのSO3-X+により置換されているフェニルであり、X+は、H+又はカチオンであり、R1A、R1B、R1C、R1D、R1E、及びR1Fのうち少なくとも二つが、独立して、１、２、３、４、又は５つのSO3-X+により置換されているフェニルであり；
A1は、アリーレン、ヘテロアリーレン、アラルキレン、又はヘテロアラルキレンであり、それぞれ任意でハロ、ニトロ、シアノ、アリール、及びヘテロアリールから独立して選択される１、２、３、又は４つの置換基により置換されているか、または
A1は、アリーレン、ヘテロアリーレン、又はアラルキレンであり、それぞれ任意でハロ、ニトロ、シアノ、アリール及びヘテロアリールから独立して選択される１、２、３、又は４つの置換基により置換されているか、または
A1は、アリーレン又はヘテロアリーレンであり、それぞれ任意でハロ、ニトロ、シアノ、アリール及びヘテロアリールから独立して選択される１、２、３、又は４つの置換基により置換されているか、または
A1は、任意でハロ、ニトロ、シアノ、アリール及びヘテロアリールから独立して選択される１、２、３、又は４つの置換基により置換されているアリーレンであり；
A2は、存在しないか、アリーレン、又はヘテロアリーレンであり、当該アリーレン及びヘテロアリーレンは、それぞれ任意でハロ、ニトロ、シアノ、アリール、及びヘテロアリールから独立して選択される１、２、３、又は４つの置換基により置換されているか、または
A2は、存在しないか、アリーレンであり、当該アリーレンは任意でハロ、ニトロ、シアノ、アリール及びヘテロアリールから独立して選択される１、２、３、又は４つの置換基により置換されているか、または
A2は存在しないか、または
A2は、任意でハロ、ニトロ、シアノ、アリール及びヘテロアリールから独立して選択される１、２、３、又は４つの置換基により置換されているアリーレンである｝
ただし、式（III）で示される化合物は以下のものではない。
【化９９】
2020513054.tif 000077
【請求項１８】
請求項１７に記載の化合物であって、
X+は、H+、又は[N(R5A)(R5B)(R5C)(R5D)]+、アルカリ金属イオンからなる群から選択されるカチオンであり、R5A、R5B、R5C、R5Dは、独立してH、C1-6アルキル、アリール、又はヘテロアリールであるか、または
X+は、H+であるか、または
X+は、[N(R5A)(R5B)(R5C)(R5D)]+であり、R5A、R5B、R5C、R5Dは、独立してH、C1-6アルキル、アリール、又はヘテロアリールであるか、または
X+は、[NH(C1-6alkyl)3]+である、化合物。
【請求項１９】
請求項１〜１６のいずれか１項に記載のポリマーを含むイオン性膜であって、相対湿度３０％〜１００％でACインピーダンス・スペクトロスコピーを用いて２０℃〜９０℃の温度で測定した場合に０．００１ms cm-1〜１０００mS cm-1のプロトン導電性、又は８０℃の水中においてACインピーダンス・スペクトロスコピーを用いて測定した場合に１ms cm-1〜１０００mS cm-1の導電性を有する、イオン性膜。
【請求項２０】
請求項１〜１６のいずれか１項に記載のポリマーを含むアイオノマーであって、任意で燃料電池、電解槽、又は他の電気化学的デバイスの触媒層に組み込まれたアイオノマー。